(57)【要約】【課題】複数の記憶媒体に情報を記録可能な記録装置において、連続した情報をできるだけ１つの記憶媒体にまとめて記憶させること。【解決手段】メモリカード１及び２に同時に記録を行い（状態Ｂ）、記録終了時にメモリカードの空き容量に応じて一方の記録のみを残し、他方は削除する。【選択図】  図２
2004266386.tif 000002
【特許請求の範囲】
【請求項１】
情報データを入力する入力手段と、
第１の記録媒体に対して前記情報データを記録再生する第１のインターフェイス手段と、
第２の記録媒体に対して前記情報データを記録再生する第２のインターフェイス手段と、
記録開始の指示に応じて前記情報データを前記第１及び前記第２の記憶媒体の少なくとも一方に格納すると共に、前記記録開始の指示からの前記情報データの記録情報量が、前記記録開始時における前記第１の記録媒体の記録残量に対応した第１の情報量を超えた場合に、前記第１及び前記第２の記憶媒体の少なくとも一方に格納した前記記録開始からの第１の情報量の前記情報データとこの第１の情報量を超えて入力された前記情報データとを共に前記第２の記録媒体に記録するよう前記第１のインターフェイス手段と第２のインターフェイス手段とを制御する制御手段とを備える記録装置。
【発明の詳細な説明】
【０００１】
【発明の属する技術分野】
本発明は情報を記録する技術に関し、特に複数の記録媒体に情報を記録可能な記録技術に関する。
【０００２】
【従来の技術】
動画記録装置の記録メディアは、現在、カセットテープが主流であるが、光ディスクメディアなども登場してきている。また、静止画撮影時の記録用として、ＩＣメモリーカードを利用可能な動画撮像装置も一般化している。
【０００３】
デジタルカメラは当初静止画記録機能のみを有するのが通常であったこともあり、記録メディアとしてＩＣメモリカードを使用するものが多いが、近年では動画記録機能を有するものも多く、ＩＣメモリカードへの動画記録も一般に行われるようになってきている。
【０００４】
ＩＣメモリカードへ動画記録が行われるようになった要因には、容量の増大と、動画圧縮技術の向上等を挙げることができるが、それでも現時点で一般に使用されるＩＣメモリカードの記録容量は、動画記録用としては不十分である。しかし、このＩＣメモリカードは一般に小型であることから、ＩＣメモリカードを複数枚利用することにより、動画記録のための記録容量を確保しようとする動画記録装置が登場することも十分考えられる。
【０００５】
【発明が解決しようとする課題】
このような、ＩＣメモリカード等の記録メディア用インターフェースを複数備える動画記録装置において、複数枚の記録メディア（例えば、ＩＣメモリカード１、ＩＣメモリカード２の二枚）が挿入された状態で、ＩＣメモリカード１に動画記録を行っている最中にＩＣメモリカード１の残り容量がなくなったとする。この場合の処理としては、その時点までを一つの動画ファイルとしてファイルクローズし、記録を終了させるか、続きのシーンをもう一方のＩＣメモリーカード２に記録し始めるかのいずれかが考えられる。
【０００６】
しかしながら、後者の場合、本来連続したワンショット（ワンカット）であるべき動画情報が、複数の記録メディアをまたいで記録されるため、記録メディアの管理が煩雑になったり、記録された動画情報の利用時の利便性の点で劣るなどの問題が起こりうる。従って、ワンショットの動画はできるだけ一つの記録メディアに収録するように記録することが望ましい。
【０００７】
そのため、本発明は、複数の記録メディアを装着可能な記録装置において、連続した情報をできる限り１つの記録メディアに納めて記録可能な記録装置を提供することを目的とする。
【０００８】
【課題を解決するための手段】
上述の目的を達成するため、本発明による記録装置は、情報データを入力する入力手段と、第１の記録媒体に対して情報データを記録再生する第１のインターフェイス手段と、第２の記録媒体に対して情報データを記録再生する第２のインターフェイス手段と、記録開始の指示に応じて情報データを第１及び第２の記憶媒体の少なくとも一方に格納すると共に、記録開始の指示からの情報データの記録情報量が、記録開始時における第１の記録媒体の記録残量に対応した第１の情報量を超えた場合に、第１及び第２の記憶媒体の少なくとも一方に格納した記録開始からの第１の情報量の情報データとこの第１の情報量を超えて入力された情報データとを共に第２の記録媒体に記録するよう第１のインターフェイス手段と第２のインターフェイス手段とを制御する制御手段とを備える。
【０００９】
【発明の実施の形態】
以下、添付図面を参照して、本発明をその好適な実施形態に基づき詳細に説明する。なお、以下の実施形態においては、本発明に係る記録装置の一例としての動画撮像装置を説明するが、本発明の記録装置が記録するのは動画情報に限定されず、静止画情報、プログラムファイル等いかなる情報であっても良い。
【００１０】
■（第１の実施形態）
本実施形態に係る記録装置は、連続性のある情報を記録する記録装置であって、第１の記録媒体と、第２の記録媒体と、第１及び第２の記録媒体を読み書き可能な記録再生手段と、記録再生手段を制御する制御手段とを有し、制御手段が、書き込み開始の指示に応答して、第１の記録媒体と第２の記録媒体の両方に対する情報の書き込みを開始し、書き込み終了の指示に応答して、書き込みを終了し、書き込み終了時における第１及び第２の記録媒体の空き容量に基づいて、第１又は第２の記憶媒体の一方から、書き込みを行った情報を削除するように記録再生手段を制御することを特徴とする記録装置である。
【００１１】
図１は、本発明の第１の実施形態として動画撮像装置の構成例を表すブロック図である。動画撮像装置（１００）内の各部は、バス（１１１）を介して接続されており、ＣＰＵ（１０７）の制御に従って動作する。また、本実施形態において、動画撮像装置（１００）は２つのメモリＩ／Ｆ１１２、１１５を有し、動画記録用の記録メディアとして、２つのＩＣメモリカード１２０、１２１を利用可能である。
【００１２】
動画撮像装置（１００）の記録時の動作について説明する。動画撮像装置（１００）が記録モードで起動すると、不揮発性ＲＡＭ（ＮＶＲＡＭ）（１０９）に格納されていたプログラムがＲＡＭ（１０８）の一部にロードされる。ＣＰＵ（１０７）はこのＲＡＭ（１０８）にロードされたプログラムを実行し、各部を制御する。後述する各実施形態における記録制御処理についても、ＣＰＵ（１０７）がＲＡＭ（１０８）にロードされたプログラムを実行し、各部を制御することで実現される。
【００１３】
レンズユニット（１０１）、撮像素子（１０２）、撮像信号処理部（１０３）は、ＣＰＵ（１０７）で制御された撮像部制御部（１０４）により制御され、後述の撮像動作を行う。被写体からの光はレンズユニット（１０１）を通して撮像素子（１０２）に結像される。撮像素子（１０２）に結像された映像は光電変換され、所定周期で読み出される。撮像信号処理部（１０３）では、撮像素子画像の画像処理が行われ、デジタル形式の動画像が生成される。
【００１４】
操作スイッチ（１０５）にて、画像の記録を指示する操作が行われると、撮像信号処理部（１０３）が生成したデジタル動画像は画像圧縮解凍部（１０６）にて、ＭＰＥＧ等所定形式の圧縮符号化が行われ、圧縮動画像に変換された後、一次的にＲＡＭ（１０８）に格納される。圧縮動画像は、メモリカード制御部（１１４）によって管理されたＩＣメモリカード１（１２０）またはＩＣメモリカード２（１２１）に、メモリインターフェース１（１１２）、メモリインターフェース２（１１５）を通して記録される。
【００１５】
次に、本実施形態における動画撮像装置の動画記録方法について、図２を用いて説明する。
【００１６】
上述のように、本実施形態の動画撮像装置（１００）は２枚のＩＣメモリカード（１２０、１２１）を利用可能であり、図２は、これら２枚のＩＣメモリカードが装着されている場合の画像記録動作を模式的に示す図である。
【００１７】
図２において、上段はメモリインタフェース１（１１２）に接続されたＩＣメモリーカード１（１２０）、下段はメモリインターフェース２（１１５）に接続されたＩＣメモリーカード２（１２１）の使用状態をそれぞれ示している。そして、時間軸に沿って、撮影前の状態Ａ、撮影中の状態Ｂ、撮影終了後の状態Ｃ、又は状態Ｄと変化していく。
【００１８】
ここでは、撮影開始前の状態Ａにおいて、ＩＣメモリーカード１には以前に撮影したデータ、シーン１〜シーン３が既に記録されているものとする。また、メモリーカード２に記録されたシーンはなく、すべて空き状態にあるものとする。撮影を開始し、新たなシーン４の記録を開始する際、本実施形態においてはＩＣメモリーカード１とＩＣメモリーカード２の両方に同時記録する（状態Ｂ）。
【００１９】
撮影終了時に、ＩＣメモリーカード１の空き容量を超えた撮影がなされていた場合には、ＩＣメモリーカード２に記録されたデータを残し、ＩＣメモリーカード１に記録したデータは消去する（状態Ｃ）。また、ＩＣメモリーカード１の空き容量の範囲内で撮影が終了した場合には、ＩＣメモリーカード２に記録されたデータを消去し、ＩＣメモリーカード１に記録されたデータを残す（状態Ｄ）。これにより、撮影したワンショットの撮影は、ＩＣメモリーカード１またはＩＣメモリーカード２のどちらかにワンシーンとして記録保存されることになる。
【００２０】
このような記録方法を実現する記録制御処理を、図５のフローチャートを用いて説明する。
まず、装置の電源が投入されると、所定の初期化処理を行った後（あるいは初期化処理の一部として）、挿入されているメモリカードの枚数、メモリカード毎の空き容量、記録領域情報（アドレス範囲等）といった、メモリカードに関する情報を収集する（ステップＳ５０２）。ここでは、２枚のメモリカードが挿入されているものとする。
【００２１】
そして、２枚あるＩＣメモリカードの中から、次の動画記録に使用する主メモリカード（図２の例ではＩＣメモリカード１）と、補助的に記録する予備的メモリカード（図２の例ではＩＣメモリカード２）を選択する。本実施形態においては、空き容量が大きいメモリカードを予備的メモリカードとして、もう一方のメモリカードを主メモリカードとして選択する。
【００２２】
次に、Ｓ５０３で、主メモリカードの空き容量が十分にあるか否かを判定する。この判定は、例えば（所定の長さの動画を記録するのに必要な平均的な容量＋所定の容量）≦空き容量であるか否かによって判定することが可能である。
本実施形態の如き民生用の記録装置では、一般に一つのシーン（記録開始の指示から記録停止の指示まで）が数十秒〜数分となることが多い。本形態では、例えば１分程度のシーンを設定された記録データレートで記録した場合に必要な容量分残っているか否かを判定するものとする。
十分な空き容量があると判定された場合には、主メモリカードにのみ記録を行う通常記録モードへ移行し（Ｓ５０９）、Ｓ５０６で撮影開始指示待ち状態となる。
【００２３】
Ｓ５０４では、予備的メモリカードの空き容量が十分であるかを判定する。この判定は、Ｓ５０３と同条件で行うことができる。Ｓ５０４で予備的メモリカードの空き容量が十分でなければ、Ｓ５０８でメモリカードの容量が少ない旨の警告をメッセージ表示や音声等によりユーザーに知らせ、Ｓ５０９で主メモリカードのみに記録する通常記録モードに移行した後、撮影開始待機状態（Ｓ５０６）となる。
【００２４】
なお、Ｓ５０３及びＳ５０４における判定処理は、常に同時記録を行う場合には不要であるが、常に同時記録を行うと、通常記録に比べて消費電力が大きくなり、例えばデジタルカメラのようにバッテリーで動作する画像記録装置の場合、動作可能時間が短くなる。そのため、本実施形態においては、当該判定を行うことで、同時記録の必要性及び効果が少ないと考えられる場合には通常記録モードへ移行するようにしている。
【００２５】
Ｓ５０４において、予備的メモリカードの空き容量が十分であると判断された場合には、図２で説明したような、主メモリカードと予備的メモリカードの両方に同時に書き込む同時記録モードとなり（Ｓ５０５）、撮影開始待機状態（Ｓ５０６）となる。
【００２６】
Ｓ５０６で撮影開始のトリガーがかかると、Ｓ５０７に移り、記録を開始する。記録中には、どのメモリカードに書き込んでいるかを、例えばディスプレイ１１０にメッセージ等で表示したり、メモリＩ／Ｆ毎に設けたＬＥＤを点灯させる等の方法でユーザーに知らせてもよい。この場合、同時記録モードで記録を開始したこと、同時記録モードでの記録中に主メモリカードの空き容量が無くなったことをユーザは知ることができる。
【００２７】
Ｓ５１０で撮影終了のトリガーがかかると、同時記録モードで記録されているか否かを判定し（Ｓ５１４）、通常記録モードであれば記録処理を終了する。一方、同時記録モードであれば、Ｓ５１１で主メモリカード（図２ではカード１）に残り容量が存在するかどうかを判定し、カード１に残り容量がある場合には、Ｓ５１２で予備的メモリカード（図２のカード２）に同時記録された動画データ（シーン４）を消去する。Ｓ５１１で主メモリカードの残り容量がない場合は、主メモリカードに記録された動画データ（シーン４）を消去して、処理を終了する。
【００２８】
以上説明したように、本実施形態によれば、二つのメモリカードに対して同時に動画像情報を記録しているので、記録終了時に一方のメモリカードの記録容量が無くなった場合でも他方のメモリカードに記録した動画像情報を残すことで、ワンシーン（ワンショット）の動画を、１つのメモリカードに記録することが可能になる。
【００２９】
■（第２の実施形態）
次に、本発明の第２の実施形態について説明する。本実施形態に係る記録装置は、連続性のある情報を記録する記録装置であって、第１の記録媒体と、第２の記録媒体と、第１及び第２の記録媒体を読み書き可能な記録再生手段と、記録再生手段を制御する制御手段とを有し、制御手段が、書き込み開始の指示に応答して、第１の記録媒体に対する情報の書き込みを開始し、第１の記憶媒体の空き容量が無くなった場合には、第２の記憶媒体に対して引き続く情報を書き込むとともに、書き込み終了の指示に応答して、書き込みを終了し、第１の記憶媒体に記録済みの情報を第２の記憶媒体に移動させるように記録再生手段を制御することを特徴とする記録装置である。
【００３０】
第１の実施形態は、２枚のメモリカードに同時記録を行い、撮影終了時の主メモリカードの空き容量の有無に応じて一方メモリカードから記録結果を削除するものであった。これに対し、本実施形態では、通常記録で動画記録を開始し、記録中に空き容量が無くなった時点で記録するメモリカードを切り替え、撮影終了後に１つのメモリカードへまとめることにより、同様の効果を得ることを特徴とする。
【００３１】
なお、本実施形態においても、第１の実施形態で説明した動画記録装置（１００）の構成をそのまま利用できるため、構成に関する説明は省略し、本実施形態と第１の実施形態とで異なる記録制御についてのみ説明する。
【００３２】
図３は、本実施形態における記録制御を模式的に示す図であり、第１の実施形態における図２に相当する。
第１の実施形態と同様に、撮影前の状態Ａにおいて撮影が開始されると、ステップ１のようにＩＣメモリカード１にのみ記録を開始する（シーン４）。なお、本実施形態において、状態ＡにおけるＩＣメモリカード１の空き容量を（ｘ）とする。
【００３３】
ＩＣメモリカード１の空き容量をチェックしながらシーン４の記録を行い、撮影終了のトリガが入力される前に、ＩＣメモリカード１の空き容量が無くなった場合（ステップ２）、ステップ３として、ＩＣメモリカード１に記録した容量（ｘ）に対応する領域を空き領域の先頭から確保した後、ＩＣメモリカード２に記録を開始する。もちろん、ＩＣメモリカード２に確保する領域は、空き領域の後ろから確保してもかまわない。ただし、後ろから領域を確保する場合、残り容量をユーザーに表示・警告する際の計算において、上限として使用するアドレスを空き領域として確保した容量に応じて変更する必要がある。
【００３４】
撮影終了のトリガが入力されると、ステップ４として、ＩＣメモリカード１に記録されていた、シーン４の前半部分（４ａ）を、ＩＣメモリカード２に確保した空き領域へコピーする。これにより、シーン４の前半部分（４ａ）と、ＩＣメモリカード２に記録されていたシーン４の後半部分（４ｂ）とが連続したシーン４として、ＩＣメモリカード２にすべて保存される。
そして、空き容量が記録中になくなったＩＣメモリカード１については、第１の実施形態と同様、シーン４（４ａ）を削除する（状態Ｃ）。
【００３５】
このような記録方法を実現する記録制御処理を、図６のフローチャートを用いて説明する。
まず、装置の電源が投入されると、所定の初期化処理を行った後（あるいは初期化処理の一部として）、挿入されているメモリカードの枚数、メモリカード毎の空き容量、記録領域情報（アドレス範囲等）といった、メモリカードに関する情報を収集する（ステップＳ６０２）。ここでは、２枚のメモリカードが挿入されているものとする。
【００３６】
ここで取得したメモリカード毎の空き容量情報は、記録中にＩＣメモリカードを切り替える際、切替後のＩＣメモリカードに空き容量を確保して記録開始するためのアドレス算出に使用される。
【００３７】
そして、２枚あるＩＣメモリカードの中から、次の動画記録に使用する主メモリカード（図３の例ではＩＣメモリカード１）と、補助的に記録する予備的メモリカード（図３の例ではＩＣメモリカード２）を選択する。本実施形態においては、空き容量が大きいメモリカードを予備的メモリカードとして、もう一方のメモリカードを主メモリカードとして選択する。
【００３８】
Ｓ６０３に移り、撮影開始のトリガ入力を待機する。ここで撮影が開始されるとＳ６０４及びＳ６０５のループに移り、記録用の主メモリカード（ＩＣメモリカード１）の空き容量及び撮影終了のトリガ入力を監視しながら記録を継続する。
【００３９】
Ｓ６０５で撮影終了のトリガが検出される前に、Ｓ６０４において主メモリカードの空き容量が無くなったことが検出されると、Ｓ６０７に移行し、予備的カードの有無を確認する。予備的メモリカードが無ければ、Ｓ６１０に移り、メモリ容量不足である旨を、エラーメッセージの表示等によりユーザに報知し、処理を終了する。ここでは予備的メモリカードが存在するため、Ｓ６０８へ移行して記録先を予備的メモリカードに切り替える。そして、予備的メモリカードに対して記録を開始する。この際、上述したように、Ｓ６０２で取得した主メモリカードの空き容量を用いて、予備的メモリカードへの書き込み開始アドレス（又は書き込み上限アドレス）を決定する。
【００４０】
なお、Ｓ６０４においては、必ずしも空き容量が完全になくなったことを検出することを意味するのではなく、例えば予備的メモリカード切替に要する時間等を考慮し、記録可能な推定残り時間もしくは空き容量が所定量を下回った時点でＳ６０７へ移行するようにしても良い。このようにすることで、切替時に記録がとぎれることを防止したり、予備的メモリカードが無い場合のエラーメッセージを実際に記録できなくなるより少し前に報知することが可能になる。
【００４１】
Ｓ６０９では、最終的なコピー先、コピー元及びコピーすべきアドレス範囲の設定を行い（図３の例ではカード１がコピー元、カード２がコピー先）、Ｓ６０６で撮影終了のトリガ入力を待つ。撮影終了になると、Ｓ６０９で管理されているコピーに関する管理情報に基づいて、カード間のコピー（図３のステップ４に相当）を行い、コピーされたデータ（図３のシーン４ａ）は主メモリカードから消去される。
【００４２】
このように、本実施形態によっても、ワンシーン（ワンショット）の動画を、できるだけ１つのメモリカードに記録することが可能になる。
なお、本実施形態では、図３のステップ３に示す様に、カード２において予めシーン４ａに対応する分の空き容量を確保し、この確保した領域の次のアドレスより引き続いてシーン４ｂのデータを記録していたが、これに限らず、例えばカード２の先頭アドレスからシーン４ｂのデータを記録し、記録終了後、カード２の空きエリアにカード１のシーン４ａのデータをコピーする構成としてもよい。
【００４３】
ＩＣメモリカードの如きランダムアクセスメディアでは、離れたアドレスに記録されたデータであっても連続して読み出すことが可能となる。この場合、シーン４ａのデータをカード２にコピーした後、カード２におけるシーン４ａの記録エリアの先頭アドレスをシーン４の先頭アドレスとして設定し、シーン４ａの最終アドレスのデータを再生した後、シーン４ｂの先頭アドレス、即ちカード２の先頭アドレスにジャンプして再生するようポインタを設定することで、シーン４のデータを正しく再生することが可能となる。
この様なシーン４に関する先頭アドレスの情報やポインタの情報はシーン４のファイル管理情報に記録する。
【００４４】
■（変形例）
上述の実施形態においてはいずれも、主メモリカードの空き容量が記録中になくなり、予備的メモリカードを用いた場合、主メモリカードに記録されたデータは最終的に削除される。このため、図２及び図３の状態Ｃで示されるように、主メモリカードは記録開始前の状態Ａと同じ状態に戻る。
【００４５】
この空き容量は、その後の動画記録において、第１及び第２の実施形態で説明した記録制御処理で使用してもよいし、静止画記録用として利用することも可能である。ただし、予備メモリカードに画像信号を記録した後、再び主メモリカードに画像信号を記録するため、二つのメモリカードに対し、撮影した順番に画像信号が記録されなくなることになる。
【００４６】
とはいえ、使われない空き容量が存在するのは無駄であるため、例えば、ユーザ設定により、日付順の記録が優先される場合には、次に撮影されたシーンが主メモリカード（第１及び第２の実施形態における予備的メモリカード）の空き容量を超えてしまった場合の予備的な記録領域として用いたり、できるだけ無駄なくメモリカードを利用することが優先される場合には、空き容量の範囲で通常記録モードによる記録で使用する等により、有効に用いることが可能である。
【００４７】
例えば、日付順記録の優先が設定されている場合には、空き容量の大小関係とは無関係に、最後に記録したシーンが存在するメモリカードから記録を開始する。従って、図２又は図３における状態Ｃのような状態で、日付順記録優先が設定されている場合、新たにシーン５の撮影がなされると、ＩＣメモリカード２のシーン４の後に記録される。
【００４８】
このような記録がなされる場合に、ＩＣメモリカード１の空き領域を予備容量として用いる記録制御処理を、図４を用いて説明する。図２、図３の状態Ｃと同様の状態Ｃからシーン５の撮影が開始されると、最後に記録したシーン４が存在するＩＣメモリカード２に記録を開始する（状態Ｆ）。シーン５の記録中にＩＣメモリカード２の空き容量が無くなった場合には、ユーザーに警告を与えながら、ＩＣメモリカード１の空き領域に書き込み継続する（状態Ｇ）。例えば状態Ｇで撮影を終了した後、シーン５の断片を別のＩＣメモリカードにまとめてコピーすることで、シーン５を１つのメモリカードにまとめるようにしても良い。
【００４９】
【他の実施形態】
上述の実施形態においては、２枚のメモリカードの空き容量の大きいものを予備的メモリカード、小さい方を主メモリカードとして自動的に選択することを前提としていたが、どちらのカードを主メモリカードとして利用するかを例えばユーザが操作スイッチ１０５を用いて設定可能としても良い。
【００５０】
この場合、例えば第１の実施形態において、同時記録モードでの記録終了後に主メモリカードに空き容量が存在する場合でも、ユーザが選択した主メモリカードの空き容量を維持するように、予備的メモリカードからデータを削除するようにしても良い。
【００５１】
なお、上述の実施形態においては、本発明の理解を助けるため、ＩＣメモリカードが２枚存在する場合のみ説明した。しかしながら本発明は、３枚以上のメモリカードを利用可能な記録装置にも適用可能である。
【００５２】
例えば、第１の実施形態におけるＳ５０２では、ｎ（ｎは３以上の自然数）枚あるＩＣメモリカードの中から、次の動画記録に使用する主メモリカード（図２の例ではＩＣメモリカード１）と、補助的に記録する予備的メモリカード（図２の例ではＩＣメモリカード２）を選択する。ここで、３枚以上のメモリカードから主メモリカード及び予備的メモリカードを選択する条件は任意に設定可能であるが、同時記録できるメモリカードが２枚であれば、例えば最大の空き容量を有するメモリカードを予備的メモリカードとして、その次（もしくはｍ番目（２≦ｍ≦ｎ）に大きな空き容量を有するメモリカード、あるいは予め定めた基準空き容量（例えば所定の長さの動画を記録するのに必要な平均的な容量）を満たす最小の空き容量を有するメモリカードを主メモリカードとして選択する等が考えられる。
【００５３】
第２の実施形態においても同様に主メモリカードと予備的メモリカードを選択することができ、また予備的メモリカードへ切り替えた後、予備的メモリカードの空き容量が無くなった場合には、残りの（ｎ−２）枚のメモリカードからさらに別の予備的カードを選択することで、連鎖的に記録していくように構成することも可能である。
【００５４】
このように、ＩＣメモリカードが３枚以上ある場合にも、ユーザが主メモリカードと予備的メモリカードを選択可能とすることができる。
【００５５】
さらに、上述の実施形態においては、記録媒体（記録メディア）としてＩＣメモリカードを用いた場合のみを説明したが、本発明は磁気記録媒体や光記憶媒体等、他の記録媒体を用いる記録装置にも適用可能である。また、連続して記録する必要のある情報であれば、動画に限らず、静止画を含め、任意の情報の記録に適用することが可能である。
【００５６】
また、本発明に係る記録装置は、情報を複数の記録媒体に記録可能な構成を有していれば、他の機能は必須でなく、例えば撮像を行うための機能（レンズ１０１、撮像素子１０２、撮像信号処理部１０３及び撮像部制御部１０４）は、本発明に係る記録装置に存在していなくても良い。
【００５７】
また、上述の実施形態においては、１つの機器から構成される記録装置についてのみ説明したが、同等の機能を複数の機器から構成されるシステムによって実現しても良い。
【００５８】
尚、前述した実施形態の機能を実現するソフトウェアプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００５９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６０】
その場合、プログラムの機能を有していれば、オブジェクトコード、インタプリタにより実行されるプログラム、ＯＳに供給するスクリプトデータ等、プログラムの形態を問わない。
【００６１】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００６２】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００６３】
つまり、本発明の機能処理をコンピュータで実現するためのプログラムデータファイルを複数のユーザに対してダウンロードさせるサーバ装置も本発明に含む。
【００６４】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【００６７】
本発明の実施態様を以下に列挙する。
【００６８】
［実施態様１］  情報データを入力する入力手段と、
第１の記録媒体に対して前記情報データを記録再生する第１のインターフェイス手段と、
第２の記録媒体に対して前記情報データを記録再生する第２のインターフェイス手段と、
記録開始の指示に応じて前記情報データを前記第１及び前記第２の記憶媒体の少なくとも一方に格納すると共に、前記記録開始の指示からの前記情報データの記録情報量が、前記記録開始時における前記第１の記録媒体の記録残量に対応した第１の情報量を超えた場合に、前記第１及び前記第２の記憶媒体の少なくとも一方に格納した前記記録開始からの第１の情報量の前記情報データとこの第１の情報量を超えて入力された前記情報データとを共に前記第２の記録媒体に記録するよう前記第１のインターフェイス手段と第２のインターフェイス手段とを制御する制御手段とを備える記録装置。
【００６９】
［実施態様２］  前記制御手段は記録開始の指示に応じて前記情報データを前記第１の記録媒体にのみ格納し、前記記録開始の指示からの前記情報データの情報量が前記第１の情報量を超えた場合、前記第１の記録媒体に記録された前記第１の情報量の情報データを前記第２の記録媒体に移動するよう前記第１のインターフェイス手段と第２のインターフェイス手段とを制御することを特徴とする実施態様１記載の記録装置。
【００７０】
［実施態様３］  前記制御手段は、前記第１の情報量の情報データを前記第２の記録媒体に移動した後、前記第１の記録媒体より前記第１の情報量の情報データを削除するよう前記第１のインターフェイス手段を制御することを特徴とする実施態様２記載の記録装置。
【００７１】
［実施態様４］  前記制御手段は記録開始の指示に応じて前記情報データを前記第２の記録媒体に格納し、前記第２の記録媒体に対して前記第１の情報量を超えて入力された情報データの記録を継続するよう前記第２のインターフェイス手段を制御することを特徴とする実施態様１記載の記録装置。
【００７２】
［実施態様５］  前記制御手段は、前記記録開始の指示に応じて前記第１の記録媒体に対しても記録を開始するよう前記第１のインターフェイス手段を制御すると共に、前記記録開始からの前記情報データの記録情報量が前記第１の情報量以下であった場合には前記第２の記録媒体に記録されている前記記録開始からの情報データを削除するよう前記第２のインターフェイス手段を制御することを特徴とする実施態様４記載の記録装置。
【００７３】
［実施態様６］  前記制御手段は、前記記録開始の指示に応じて前記第１の記録媒体に対しても記録を開始するよう前記第１のインターフェイス手段を制御すると共に、前記記録開始からの前記情報データの記録情報量が前記第１の情報量を超えた場合には前記第１の記録媒体に記録されている前記記録開始からの情報データを削除するよう前記第１のインターフェイス手段を制御することを特徴とする実施態様４記載の記録装置。
【００７４】
［実施態様７］  連続性のある情報を記録する記録装置であって、
第１及び第２の記録媒体に対して前記情報をを読み書き可能な記録再生手段と、
前記記録再生手段を制御する制御手段とを有し、
前記制御手段が、
書き込み開始の指示に応答して、前記第１の記録媒体と前記第２の記録媒体の両方に対する前記情報の書き込みを開始し、書き込み終了の指示に応答して、前記書き込みを終了し、前記書き込み終了時における前記第１及び第２の記録媒体の空き容量に基づいて、前記第１又は第２の記憶媒体の一方から、前記書き込みを行った情報を削除するように前記記録再生手段を制御することを特徴とする記録装置。
【００７５】
［実施態様８］  連続性のある情報を記録する記録装置であって、
第１及び第２の記録媒体に対して前記情報を読み書き可能な記録再生手段と、
前記記録再生手段を制御する制御手段とを有し、
前記制御手段が、
書き込み開始の指示に応答して、前記第１の記録媒体に対する前記情報の書き込みを開始し、前記第１の記憶媒体の空き容量が無くなった場合には、前記第２の記憶媒体に対して引き続く前記情報を書き込むとともに、書き込み終了の指示に応答して、前記書き込みを終了し、前記第１の記憶媒体に記録済みの前記情報を前記第２の記憶媒体に移動させるように前記記録再生手段を制御することを特徴とする記録装置。
【００７６】
［実施態様９］  前記制御手段が、前記書き込み中に前記第１の記憶媒体の空き容量が無くなった場合には、前記第２の記憶媒体に対し、前記書き込み開始時における前記第１の記憶媒体の空き容量に相当する領域を確保した上で前記引き続く前記情報を書き込むとともに、前記書き込み終了の指示に応答して、前記書き込みを終了し、前記第１の記憶媒体に記録済みの前記情報を前記第２の記憶媒体に確保した前記領域に移動させるよう前記記録再生手段を制御することを特徴とする実施態様８記載の記録装置。
【００７７】
【発明の効果】
以上説明したように、本発明によれば、複数の記録媒体に情報記録が可能な記録装置において、１つの連続する情報をできるだけ１つの記録媒体にまとめて記録することが可能になる。
【図面の簡単な説明】
【図１】本発明の実施形態に係る動画撮像装置の構成例を示すブロック図である。
【図２】第１の実施形態における記録制御処理を模式的に示す図である。
【図３】第２の実施形態における記録制御処理を模式的に示す図である。
【図４】第１及び第２の実施形態の変形例における記録制御処理を模式的に示す図である。
【図５】第１の実施形態における記録制御処理を説明するフローチャートである。
【図６】第２の実施形態における記録制御処理を説明するフローチャートである。
【符号の説明】
１００・・・動画撮像装置
１０１・・・レンズユニット
１０２・・・撮像素子
１０３・・・撮像信号処理
１０４・・・撮像部制御回路
１０５・・・操作スイッチ
１０６・・・画像圧縮解凍器１０７・・・ＣＰＵ
１０８・・・ＲＡＭ
１０９・・・フラッシュメモリ
１１０・・・ディスプレイ
１１１・・・バス
１１２・・・メモリインターフェース１
１１４・・・メモリカード制御部
１１５・・・メモリインターフェース２
１２０・・・ＩＣメモリカード１
１２１・・・ＩＣメモリカード２
【図１】
2004266386.tif 000003
【図２】
2004266386.tif 000004
【図３】
2004266386.tif 000005
【図４】
2004266386.tif 000006
【図５】
2004266386.tif 000007
【図６】
2004266386.tif 000008